【事件の表示】
　特願２００８−５４８６２５「レンズ移送先端具洗浄ステーションおよびその使用方法」拒絶査定不服審判事件〔平成１９年　７月１２日国際公開、ＷＯ２００７／０７８９８２、平成２１年　６月１１日国内公表、特表２００９−５２２５９８、請求項の数（８）〕について、次のとおり審決する。
【結　論】
　原査定を取り消す。
　本願の発明は、特許すべきものとする。
【理　由】
第１　手続の経緯
　本願は、２００６年１２月２２日（優先権主張２００５年１２月３０日、米国）を国際出願日とする出願であって、平成２４年５月２２日付けで手続補正がなされ、同年１１月１９日付けで拒絶査定がなされ、これに対して、平成２５年３月２５日付けで拒絶査定不服審判が請求されると同時に手続補正がなされ、当審において、平成２５年９月１１日付け及び平成２６年１月８日付けで拒絶の理由（以下「当審拒絶理由」という。）が通知され、平成２５年１２月１３日付け及び平成２６年２月５日付けで手続補正がなされたものである。
　なお、請求人は、当審における平成２５年５月７日付け審尋に対して同年８月６日付けで回答書を提出している。また、請求人は同年１２月１３日付け及び平成２６年２月５日付けで意見書を提出している。
　
第２　本願発明
　本願の請求項１ないし８に係る発明は、平成２６年２月５日付け手続補正によって補正された特許請求の範囲の請求項１ないし８に記載の事項によりそれぞれ特定されるものであるところ、請求項１ないし８に係る発明は、平成２６年２月５日付け手続補正によって補正された特許請求の範囲、明細書及び図面の記載からみて、その特許請求の範囲に記載されたとおりの次のものであると認める。
　
　「【請求項１】
　ソフトコンタクトレンズ移送先端具の先端部を浄化するための装置において、
　洗浄ステーションと、
　可動アームと、
　を具備し、
　前記洗浄ステーションは、第１壁、第２壁、および、前記第１壁と前記第２壁とを接続する中空チャネルを具備し、
　　前記第１壁は、内部第１面、および外部第１面を具備し、
　　前記内部第１面は、少なくとも２つの水噴射用の開口部を具備し、前記開口部の各々は、前記内部第１面から前記第１壁を通って前記中空チャネルまで延びており、
　　前記第２壁は、内部第２面、および外部第２面を具備し、
　　前記内部第２面は、少なくとも２つの水噴射用の開口部を具備し、前記開口部の各々は、前記内部第２面から前記第２壁を通って前記中空チャネルまで延びており、
　前記可動アームは、少なくとも２つのソフトコンタクトレンズ移送先端具を具備し、
　前記可動アームは、前記内部第１面と前記内部第２面との間に前記少なくとも２つのソフトコンタクトレンズ移送先端具を水平に通過させるための手段を含み、
　水平軸から前記中空チャネルに向かって上向きに離れる前記開口部の角度は、１０度〜３０度であり、
　各移送先端具の幅毎に、５〜１６の開口部がある、
　装置。
　　【請求項２】
　請求項１に記載の装置において、
　前記内部第１面上に少なくとも１０個の開口部と、
　前記内部第２面上に少なくとも１０個の開口部と、
　を含む、装置。
　　【請求項３】
　ソフトコンタクトレンズ移送先端具から残片を取り除く方法において、
　第１壁、第２壁、および前記第１壁と前記第２壁とを接続している中空チャネルを具備する洗浄ステーションの前記中空チャネルを通して水を押し進めることを含み、
　　前記第１壁は、内部第１面、および外部第１面を具備し、
　　前記内部第１面は、少なくとも２つの水噴射用の開口部を具備し、前記開口部の各々は、前記内部第１面から前記第１壁を通って前記中空チャネルまで延びており、
　　前記第２壁は、内部第２面、および外部第２面を具備し、
　　前記内部第２面は、少なくとも２つの水噴射用の開口部を具備し、前記開口部の各々は、前記内部第２面から前記第２壁を通って前記中空チャネルまで延びており、
　前記方法は、前記内部第１面と前記内部第２面との間で前記レンズ移送先端具を水平に移動させることも含み、
　水平軸から前記中空チャネルに向かって上向きに離れる前記開口部の角度は、１０度〜３０度であり、
　各移送先端具の幅毎に、５〜１６の開口部がある、
　方法。
　　【請求項４】
　請求項３に記載の方法において、
　前記内部第１面は、少なくとも１０個の開口部を具備し、
　前記内部第２面は、少なくとも１０個の開口部を具備する、方法。
　　【請求項５】
　ソフトコンタクトレンズ移送先端具の先端部を浄化するための装置において、
　可動アームと、
　第１壁および第２壁を具備する洗浄ステーションと、
　を具備し、
　　前記第１壁は、内部第１面、および外部第１面を具備し、
　　前記内部第１面は、少なくとも２つの水噴射用の開口部を具備し、前記開口部の各々は、前記内部第１面から前記第１壁を通って第１壁ポートまで延びており、
　　前記第２壁は、内部第２面、および外部第２面を具備し、
　　前記内部第２面は、少なくとも２つの水噴射用の開口部を具備し、前記開口部の各々は、前記内部第２面から前記第２壁を通って第２壁ポートまで延びており、
　前記可動アームは、少なくとも２つのソフトコンタクトレンズ移送先端具と、前記内部第１面と前記内部第２面との間に前記少なくとも２つのソフトコンタクトレンズ移送先端具を水平に通過させるための手段と、を含み、
　水平軸から上向きに離れかつ前記移送先端具に面する方向とは反対の方向を向く前記開口部の角度は、１０度〜３０度であり、
　各移送先端具の幅毎に、５〜１６の開口部がある、
　装置。
　　【請求項６】
　請求項５に記載の装置において、
　前記内部第１面上に少なくとも１０個の開口部と、
　前記内部第２面上に少なくとも１０個の開口部と、
　を具備する、装置。
　　【請求項７】
　ソフトコンタクトレンズ移送先端具から残片を取り除く方法において、
　第１壁および第２壁を具備する洗浄ステーションの壁ポートを通して水を押し進めることを含み、
　　前記第１壁は、内部第１面、および外部第１面を具備し、
　　前記内部第１面は、少なくとも２つの水噴射用の開口部を具備し、前記開口部の各々は、前記内部第１面から前記第１壁を通って第１壁ポートまで延びており、
　　前記第２壁は、内部第２面、および外部第２面を具備し、
　　前記内部第２面は、少なくとも２つの水噴射用の開口部を具備し、前記開口部の各々は、前記内部第２面から前記第２壁を通って第２壁ポートまで延びており、
　前記方法は、前記内部第１面と前記内部第２面との間で前記ソフトコンタクトレンズ移送先端具を水平に移動させることも含み、
　水平軸から上向きに離れかつ前記移送先端具に面する方向とは反対の方向を向く前記開口部の角度は、１０度〜３０度であり、
　各移送先端具の幅毎に、５〜１６の開口部がある、
　方法。
　　【請求項８】
　請求項７に記載の方法において、
　前記内部第１面は、少なくとも１０個の開口部を具備し、
　前記内部第２面は、少なくとも１０個の開口部を具備する、方法。」（以下、本願の請求項１ないし８に係る発明をそれぞれ「本願発明１」ないし「本願発明８」、まとめて「本願発明」という。）
　
第３　原査定の理由の概要
１　理由１
　この出願は、発明の詳細な説明の記載が、特許法第３６条第４項第１号に規定する要件を満たしていない。
　
２　理由２　
　本願発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　　　記
刊行物１：国際公開第２００３／０８９３０６号
刊行物２：特開昭５６−８４４９３号公報
刊行物３：実願昭５５−１４４５８８号（実開昭５７−６６６８４号）のマイクロフィルム
刊行物４：特開２００３−２５１２３５号公報
刊行物５：特開２００４−３２２０９１号公報
　
第４　当審の判断
１　理由２について
（１）刊行物の記載事項
　刊行物１には、次の事項が図とともに記載されている（下線は審決で付した。以下同じ。）。
　
ア　「
The transfer of soft contact lenses during manufacture has been a significant problem
Accurate and reliable transfer of the wet lenses from one location to another or to a final package are often necessary
　
　As apparent from the foregoing, a need exists for an apparatus to transfer wet lenses from one station, such as a mold or hydrating bath, to another station, such as a package.
　
　……略……
　Additionally, US Serial No. 09/252,287 (VTN-418) entitled Contact Lens　Transfer and Material Removal System, owned by the assignee of this application, discloses 
a contact lens transfer device which comprises a probe
the lens is secured via vacuum pressure
　US Serial No. 09/252,287 (VTN-418) is incorporated herein by reference.  Oftentimes, the lens transfer devices disclosed in the prior art which pick up wet lenses are submerged in a liquid while picking up a lens, and some of the liquid enters the probe transfer tip. This liquid is subsequently dropped back onto the lens when the lens is ejected from the probe or transfer tip assembly via the pulse of pressurized air or fluid. This liquid, referred to as dropped liquid, is undesirable because it is variable. The dropped liquid varies in quantity and is sometimes aerated and frothy. Depending upon subsequent steps in the manufacturing line, the dropped liquid may cause acceptable lenses to be rejected because of the froth, or the addition of the dropped liquid may interfere with the precise filling or pH of a liquid in a final package. Also, the dropped liquid may be or contain an undesireable solvent that is desireably removed from the wet object prior to final processing. For contact lenses, useful solvents for lens cleaning and hydration have been disclosed in the prior art, and are known to a person of ordinary skill in the art. These problems are addressed by this invention.
　
　Further, 
sometimes a lens does not transfer eventhough the pressurized fluid is ejected from the tip of the probe or transfer tip assembly. The lens may adhere to the probe in a squeued fashion, and additional doses of pressurized fluid may not remove the lens. This may result in packages receiving no lenses or multiple lenses. This problem is addressed herein also
　
　Also, the lenses are easily crushed by the contact of the probes against the lenses. A transfer apparatus with an improved mechanism for moving the probe adjacent to the lenses is disclosed herein.」（２頁２行〜３頁２１行）
　（日本語訳）
　「
ソフトコンタクトレンズを製造過程において搬送する際には大きな問題が生じる。
湿ったレンズをある場所から他の場所あるいは最終パッケージに正確かつ確実に搬送することが多くの場合求められる
　前述の説明から明らかなように、湿ったレンズを、型成形部や水和容器などのある場所から、パッケージなどの他の場所に搬送する必要性がある。
　
　……略……
　
　また、米国特許出願第０９／２５２２８７号（ＶＴＮ−４１８）（発明の名称：「コンタクトレンズ搬送機および材料除去システム」）も本願の譲受人に譲渡されており、これには
コンタクトレンズ搬送装置
この装置は、
プローブを備える
　通常、湿ったレンズを持ち上げる従来技術におけるレンズ搬送装置は、レンズを持ち上げる際に溶液中に浸かっているため、溶液の一部がプローブ搬送チップに侵入する。この溶液は最終的には、レンズが圧力エアーまたは流体による振動を介してプローブまたは搬送チップ装置から外される際に、レンズの上に落下して戻る。こうした液体（落下液体と称する）は、変質し易いため望ましくない。この落下液体は量によって異なり、通気性があって泡状である場合がある。製造ラインにおけるその後の段階によっては、落下液体は良好なレンズを泡によって不良なものにしてしまい易い。また、この落下液体は、最終パッケージにおいて液体のｐＨの正確な充填を阻害してしまう。さらに、この落下液体は好ましくない溶剤を含んでいる場合があり、従って、この溶剤は最終工程に先立って湿った対象物から除去されるのが好ましい。コンタクトレンズに関し、レンズの洗浄および水和に有効な溶剤は従来技術によって開示されており、当業者には周知である。こうした問題は本発明によって提示される。
さらに、
レンズは、圧力流体がプローブの先端または搬送チップ装置から噴射されても移動しない場合がある。このレンズはプローブに押し潰された状態で付着しており、圧力流体をさらに加えてもレンズを外すことができない場合がある。その結果、各パッケージにレンズが供給されない場合や複数のレンズが供給される場合がある。この問題もここで提示する
　さらに、レンズはプローブが接触することによって容易に破壊する。従って、レンズに隣接するプローブをより良好に移動させることのできる搬送装置を提供する。」
　
イ　「DETAILED DESCRIPTION OF THE INVENTION
 
　
The invention is preferably directed to a method and apparatus for transferring a contact lens, typically a wet contact lens,
 
　
A transfer apparatus 900
comprises a drive support bracket 97 , manifold 103, and a plurality of transfer tip assemblies or probes 93
the transfer apparatus 900 comprises a two by eight array or sixteen probes or transfer tip assemblies 93
　（日本語訳）
「【発明を実施するための最良の形態】
　
本発明は、コンタクトレンズ（特に湿ったコンタクトレンズ）を、
搬送するための方法
装置に重点を置くものである
　図１に示すように、
搬送装置９００は運転支持ブラケット９７、多岐管１０３および複数の搬送チップ装置またはプローブ９３を備える
搬送装置９００は、２×８列または１６個のプローブまたは搬送チップ装置９３を備えている
　
ウ　「Occassionally, not all the lenses are successfully transfened to the second station, e.g. package 102. When this happens, a non-transfenred lens is typically left hanging from the transfer tip 94. When a next set of lenses are picked from the hydration tray, a non- transfened lens sticks to the lens being picked up and two lenses then adhere to the transfer o tip 94. During the subsequent transfer into packages a double lens is deposited. The double lens will then be rejected by a later lens inspection process herein not described. Thus, two lenses are rejected from the process when the non-conformity was caused only by the first lens not being properly deposited.
 To reduce the loss to just the original non- transfened lens, a cleaning station is provided
The cleaning station comprises means for spraying fluid at a probe, and preferably a catch basin
The fluid may be
liquid
The prefened means for spraying the fluid in the cleamng station 800 is cleaning nozzles 111
there are at least two cleaning nozzles 111 for cleaning each probe 93
The prefened catch basin 801 provides almost a complete enclosure into which the probes are inserted. The catch basin 801 comprises orifices 113 into which the probes 93 are each at least partially inserted
The orifices 113 are sized to be only slightly bigger than the diameter of the transfer tip or banel of the probe
the nozzles 111 are located in the orifices 113
　Figure 5A, 5B, 5C and 6 show a catch basin 801 comprising multiple pieces; however, it could be made of a single piece. As shown the catch basin 801 comprises a trough 105 attached to a spacer plate 106, attached to a cleaning orifice plate 107. Positioned within the catch basin 801, in the trough 105 is a lens screen 108 and a drain passage 109. The prefened material to make the cleamng station components is stainless steel.
　The method of cleaning the transfer apparatus is described herein in the following steps: 
After every 2-10 lens pickup and placement sequences the transfer apparatus preferably comprised of a drive support bracket 97 , manifold 103, and sixteen transfer probes 93 in a two-by-eight anay moves to the cleaning station
 the transfer apparatus 900 is lowered to a position shown in figure 5A such that the probes 93 are fully engaged into the cleaning orifices 113
　Although not described for the cleaning station, preferably when the transfer apparatus is positioned over the cleaning station, the method of aligning the transfer apparatus described above using the stand pins, compliance springs, centering cones, and cone seats is used to properly align the probes with the orifices to avoid any damage to either the transfer 5 apparatus or the cleaning station. For this purpose, preferably the top surface of the cleaning station provides openings 112 for receipt of the stand pins.」（１１頁２６行〜１４頁６行）
　（日本語訳）
　「常に全てのレンズが第二ステーション（例えば、パッケージ１０２）に正確に載置されるとは限らない。この場合、搬送されていないレンズは通常、搬送チップ９４から吊り下げられた状態で残される。次の組の複数のレンズが水和トレイから持ち上げられたとき、搬送されていないレンズは、次に持ち上げられたレンズに付着する。従って、二つのレンズが搬送チップ９４に付着する。続いて行われるパッケージへの搬送で、「二つ」のレンズが載置される。この二つのレンズは、その後のレンズ検査工程（ここでは説明しない）において拒否される。従って、二つのレンズは、最初のレンズが適切に配置されていないことのみによる不適合性によって、その工程から拒否される。こうした最初の
レンズが搬送されないという問題を低減するために、クリーニングステーションが設けられている
クリーニングステーションには、プローブに流体を噴射する装置と共に、受け容器部を設けることが好ましい
流体は
液体である
クリーニングステーション８００内において流体を噴射する装置は洗浄ノズル１１１であることが好ましい
各プローブを洗浄するために、少なくとも二つのノズル１１１を設ける
受け容器部８０１はほぼ完全な箱体であることが好ましく、その中にプローブが挿入される。受け容器部８０１は穴部１１３を備え、その中に各プローブ９３の少なくとも一部が挿入される
各穴部１１３は、プローブの搬送チップまたは胴部の径より僅かに大きく形成され
全てのノズル１１１は穴部１１３の中に配置される
　図５Ａ、図５Ｂ、図５Ｃおよび図６は、複数の部品を有する受け容器部８０１を示すが、この受け容器部８０１は一つの部品で構成することができる。図示したように、受け容器部８０１は通し部１０５を備える。この通し部１０５はスペーサー板１０６に取り付けられ、スペーサー板１０６は穴板部１０７に取り付けられている。受け容器部８０１内部の通し部１０５内には、レンズスクリーン１０８と排出通路１０９が配置されている。クリーニングステーションの部品は、ステンレス鋼で形成するのが好ましい。
　搬送装置の洗浄方法は以下に述べる工程を有する。すなわち、
２〜１０個単位のレンズが連続的に持ち上げられ配置された後、搬送装置はクリーニングステーションに移動する。この搬送装置は、運転支持ブラケット９７、孔部１０３および１６個の搬送プローブ（２×８列）を備える
搬送装置９００が図５Ａで示す位置に下降し、これによりプローブ９３が洗浄孔部１１３に完全に侵入する
　この洗浄流体は、洗浄装置のみにおいて使用されるものであっても良い。本実施形態では、脱イオン水噴射流体は、レンズがプローブの先端にある場合には、チューブ嵌合部９５、噴射流体通路１２２および流体噴射チューブ１２１を通して注入され、レンズの凹部裏面に供給される。脱イオン洗浄流体は、導管１１０を通して、そしてプローブのそばの洗浄ノズル１１１を通して注出される。各洗浄孔部１１３に対して、二つの洗浄ノズル１１１が１８０度離れた箇所に設けられている。洗浄流体の注入手段は通常０．５〜１．５秒間続き、各洗浄ノズル１１１毎の流量は毎分２０〜２００ミリリットルである。脱イオン水洗浄流体の注入がプローブに向けて開始された後、０〜１．０秒経過すると、搬送装置９００は上方に向かって後退する。この間、脱イオン水は、流体噴射チューブ１２１および洗浄ノズル１１１から継続して流出する。図５Ｂに示すように、搬送チップ９４の先端に付着しているレンズ９２の端部はレンズの凹部が噴射液体によって重くなるため、搬送チップ９４から、および洗浄流体から離れ始める。図５Ｂの矢印Ａは、洗浄流体のノズル１１１からの方向を示す。図Ｂの矢印Ｂは、噴射流体の流体噴射チューブ１２１からの方向を示す。後退速度は、噴射流体注入手段が終了後、搬送チップ９４が洗浄孔部１１３から離脱するのに対応するように調節する。上述したレンズ搬送工程（レンズ配置工程）で使用された噴射流体と同一の注出手法（時間および量）を洗浄工程に使用するのが好ましい。開口部１９からの噴射流体は、洗浄液体より長い時間注入されて、ノズル１１１から搬送チップに供給されるのが好ましい。搬送チップが孔部から離れると、洗浄液体のチップへの噴射が停止し、続いて、噴射流体の搬送チップからの噴射が停止する。なお、これらの噴射はそれ以外の順序で停止させることができる。図５Ｃおよび図６に示すように、プローブから離れたレンズはレンズスクリーン１０８の上に載置され、その間、本工程における噴射流体および／または洗浄液体はレンズスクリーン１０８を通って受け容器部１０５の中に流れる。この洗浄工程は搬送チップ９４の上に溜まっている余剰物質を取り除く。余剰物質にはヘマ(hema)リングやレンズのかけらなどが含まれる。この箇所から水は傾斜面を流れ下りて排出通路１０９に達する。プローブ９３が孔部１１３から後退すると、図１乃至図４を参照して上述したように、搬送装置は運転機構（図示せず）によってレンズ搬送工程に戻る。それと前後して、前述したように、洗浄装置内の洗浄液体のノズルが移動して洗浄流体をプローブの様々な箇所に供給する。この供給は、レンズ（もし存在していれば）の所定箇所の上の位置から、徐々にプローブの下部分に下降させることが好ましく、プローブの最下位部分に下降させることがより好ましい。
　クリーニングステーションにおいて説明していないが、搬送装置がクリーニングステーションの上方に位置した際に、上述した搬送装置の直立ピン、追従スプリング、位置決めコーンおよびコーンシートを使用した位置合わせ方法を使用して、プローブを孔部に正確に位置合わせし、搬送装置またはクリーニングステーションの損傷を防止する。」
　
　エ　上記アないしウから、刊行物１には次の発明が記載されているものと認められる。
「プローブまたは搬送チップ装置を備えるソフトコンタクトレンズ搬送装置において、
　湿ったレンズをある場所から他の場所あるいは最終パッケージに正確かつ確実に搬送することが多くの場合求められるが、圧力流体がプローブの先端または搬送チップ装置から噴射されても、レンズが移動しない場合があり、このレンズはプローブに押し潰された状態で付着し、圧力流体をさらに加えてもレンズを外すことができない場合があり、その結果、パッケージにレンズが供給されない場合や複数のレンズが供給されるという問題があったため、クリーニングステーションを設けて、レンズが適切に搬送されないという問題を低減したソフトコンタクト搬送装置であって、
　運転支持ブラケットおよび１６個の搬送プローブを備え、
　前記クリーニングステーションには、搬送プローブに流体を噴射する装置と共に受け容器部を設け、前記流体は液体であり、前記流体を噴射する装置は少なくとも２つの洗浄ノズルであり、搬送プローブを洗浄するために、受け容器部はほぼ完全な箱体であるとともに穴部を備え、その穴部の中に各搬送プローブの少なくとも一部が下降されて挿入させられ、各穴部は、搬送プローブの搬送チップまたは胴部の径より僅かに大きく形成され、全ての洗浄ノズルは穴部の中に配置されている、ソフトコンタクト搬送装置。」（以下「引用発明」という。）
　
（２）対比
　本願発明１と引用発明とを対比する。
　ア　引用発明の「『プローブ』、『搬送チップ装置』、『搬送プローブ』」、「クリーニングステーション」及び「『プローブに流体を噴射する装置』、『洗浄ノズル』」は、それぞれ、本願発明１の「ソフトコンタクトレンズ移送先端具」、「洗浄ステーション」及び「『少なくとも２つ』の『開口部』」に相当する。
　
　イ　引用発明の「ソフトコンタクトレンズ搬送装置」は、「ソフトコンタクトレンズ移送先端具（『プローブ』、『搬送チップ装置』）」と、該「ソフトコンタクトレンズ移送先端具」に流体を噴射する「『少なくとも２つ』の『開口部』（洗浄ノズル）」を設けた「洗浄ステーション（クリーニングステーション）」と、「可動アーム（運転支持ブラケット）」を備えるものであり、流体が噴射される箇所が「ソフトコンタクトレンズ移送先端具」の「先端部」も含むことは明らかであるから、本願発明１の「ソフトコンタクトレンズ移送先端具の先端部を浄化するための装置」に相当する。
　
　ウ　引用発明において、「洗浄ステーション（クリーニングステーション）」は、ほぼ完全な箱体である受け容器部であるとともに穴部を備え、その穴部の中に各「ソフトコンタクトレンズ移送先端具（搬送プローブ）」の少なくとも一部が下降されて挿入させられ、各穴部は該「ソフトコンタクトレンズ移送先端具」の径より僅かに大きく形成されているから、穴部の周辺部領域は、穴部の内周面である「内部面」と前記受け容器部の外端面である「外部面」とからなる「壁」ということができる。
　また、「『少なくとも２つ』の『開口部』（洗浄ノズル）」は前記穴部の中に配置されているから、前記「『少なくとも２つ』の『開口部』」が液体を供給するための通路、すなわち「中空チャネル」まで延び、該「中空チャネル」が前記「壁」を通ることは明らかである。
　さらに、前記「壁」は、穴部の周辺部領域を任意の２つの領域に区分する「第１壁」と「第２壁」とからなり、前記「第１壁」が「内部第１面」と「外部第１面」を具備し、前記「第２壁」が「内部第２面」と「外部第２面」を具備すると解される。
　したがって、引用発明の「洗浄ステーション」と本願発明１の「洗浄ステーション」とは、「第１壁、第２壁、および、前記第１壁と前記第２壁とを接続する中空チャネルを具備し、前記第１壁は、内部第１面、および外部第１面を具備し、前記内部第１面は、少なくとも２つの液体噴射用の開口部を具備し、前記開口部の各々は、前記内部第１面から前記第１壁を通って前記中空チャネルまで延びており、前記第２壁は、内部第２面、および外部第２面を具備し、前記内部第２面は、少なくとも２つの液体噴射用の開口部を具備し、前記開口部の各々は、前記内部第２面から前記第２壁を通って前記中空チャネルまで延びて」いる点で一致する。
　
　エ　引用発明において、「ソフトコンタクトレンズ移送先端具の先端部を浄化するための装置（ソフトコンタクトレンズ搬送装置）」は、１６個の「ソフトコンタクトレンズ移送先端具（『プローブ』、『搬送チップ装置』または『搬送プローブ』）」を洗浄するために、穴部の中に各搬送プローブの少なくとも一部を下降させて挿入させるから、「ソフトコンタクトレンズ移送先端具の先端部を浄化するための装置（ソフトコンタクトレンズ搬送装置）」が「ソフトコンタクトレンズ移送先端具」を下降させるための「可動アーム」を備えていることは明らかである。
　したがって、引用発明の「ソフトコンタクトレンズ移送先端具の先端部を浄化するための装置」と本願発明１の「ソフトコンタクトレンズ移送先端具の先端部を浄化するための装置」とは、「可動アームを具備し」、「前記可動アームは、少なくとも２つのソフトコンタクトレンズ移送先端具を具備し」ている点で一致する。
　
　オ　引用発明の「ソフトコンタクトレンズ移送先端具の先端部を浄化するための装置（ソフトコンタクトレンズ搬送装置）」は、「『少なくとも２つ』の『開口部』（洗浄ノズル）」の全てが、プローブの搬送チップまたは胴部の径より僅かに大きく形成された穴部の中に配置されているから、本願発明１の「ソフトコンタクトレンズ移送先端具の先端部を浄化するための装置」と、「各移送先端具の幅毎に、少なくとも２つの開口部がある」点で一致する。
　
　カ　上記アないしオからみて、本願発明１と引用発明とは、
「ソフトコンタクトレンズ移送先端具の先端部を浄化するための装置において、
　洗浄ステーションと、
　可動アームと、
　を具備し、
　前記洗浄ステーションは、第１壁、第２壁、および、前記第１壁と前記第２壁とを接続する中空チャネルを具備し、
　　前記第１壁は、内部第１面、および外部第１面を具備し、
　　前記内部第１面は、少なくとも２つの水噴射用の開口部を具備し、前記開口部の各々は、前記内部第１面から前記第１壁を通って前記中空チャネルまで延びており、
　　前記第２壁は、内部第２面、および外部第２面を具備し、
　　前記内部第２面は、少なくとも２つの水噴射用の開口部を具備し、前記開口部の各々は、前記内部第２面から前記第２壁を通って前記中空チャネルまで延びており、
　前記可動アームは、少なくとも２つのソフトコンタクトレンズ移送先端具を具備し、
　　各移送先端具の幅毎に、少なくとも２つの開口部がある、
　装置」である点で一致し、次の点で相違する。
　
　相違点１：
　前記開口部が、本願発明１では、「水噴射用」であるのに対し、引用発明では、液体を噴射するものであるが、水を噴射するものであるかどうかが明らかでない点。
　
　相違点２：
　本願発明１では、前記可動アームは、前記内部第１面と前記内部第２面との間に前記少なくとも２つのソフトコンタクトレンズ移送先端具を水平に通過させるための手段を含み、水平軸から前記中空チャネルに向かって上向きに離れる前記開口部の角度は、１０度〜３０度であるのに対し、
　引用発明では、前記可動アームは、前記内部第１面と前記内部第２面との間に前記少なくとも２つのソフトコンタクトレンズ移送先端具を水平に通過させておらず、また、前記開口部の水平軸に対する角度が何度であるか明らかでない点。
　
　相違点３：
　前記開口部の個数が、本願発明１では、各移送先端具の幅毎に５〜１６であるのに対し、引用発明では、不明である点。
　
（３）判断
　上記相違点２について検討する。
　ア　洗浄対象物を水平に通過させる空間の両側に設けられた開口部（穴、ノズル等）から洗浄液を塗出し前記洗浄対象物を洗浄する装置は本願の優先日前に周知である（以下「周知技術」という。例．刊行物３（第１，２図参照。）、刊行物４（図１，２参照。）、刊行物５（図１参照。））。
　
　イ　引用発明は、洗浄ノズルが設けられた穴部の中に各移送先端具（搬送プローブ）の少なくとも一部が下降されて挿入させられ、洗浄ノズルが移送先端具に対して流体を噴射することを単に開示しているにすぎない。
　これに対し、上記アで提示した周知例は全て、ソフトコンタクトレンズとは異なる対象、具体的には、塗装やコーテングの前処理のために対象物から油分等の汚れを除去するものに向けられたものであるから、単に「洗い流す」程度のものである。一方、引用発明における洗浄対象物であるソフトコンタクトレンズは、粘着性が大きくかつ柔軟性が大きいものであり、その残片を除去するような技術分野及び課題は想定されていない。
　よって、洗浄対象物が引用発明と周知技術とでは異なり、引用発明に周知技術を適用する動機付けは存在しない。
　さらに、本願発明１は、「水平軸から中空チャネルに向かって上向きに離れる開口部の角度は、１０度〜３０度であ」るという事項により、移送先端具にくっついた付着物が下方に剥がれやすくしたものであるところ、前記事項は引用例１及び周知例のいずれにも記載されていない。
　したがって、周知技術を考慮しても、引用発明において、相違点２に係る本願発明１の構成となすことは、当業者が容易になし得たものということはできない。
　
　ウ　したがって、刊行物１には、上記相違点２に係る「前記可動アームは、前記内部第１面と前記内部第２面との間に前記少なくとも２つのソフトコンタクトレンズ移送先端具を水平に通過させるための手段を含み、水平軸から前記中空チャネルに向かって上向きに離れる前記開口部の角度は、１０度〜３０度であ」る事項が開示されてなく、しかも、当該事項が刊行物１に記載された事項及び周知技術から想到容易であるともいえないから、本願発明１は、当業者が容易に発明することができたものではない。 
　
　エ　本願発明２〜８について
　（ア）本願発明３，５，７について
　本願発明３，５，７が「内部第１面と内部第２面との間にソフトコンタクトレンズ移送先端具を水平に通過させる」という事項、及び、「水平軸から中空チャネルに向かって上向きに離れる開口部の角度が１０度〜３０度である」という事項を含む点については本願発明１と同じであり、上記（３）で説示したように、これらの事項を含む本願発明１が引用発明及び周知技術に基づいて当業者が容易になし得たものであるといえないのであるから、本願発明３，５，７も同様に当業者が容易に発明をすることができたものであるといえない。
　
　（イ）本願発明２，４，６，８について
　本願発明１，３，５，７が、引用発明及び周知技術に基づいて当業者が容易に発明をすることができたものであるといえないのであるから、本願発明１，３，５，７の発明特定事項をすべて含み、さらに他の発明特定事項を付加した本願発明２，４，６，８も同様に、引用発明及び周知技術に基づいて当業者が容易に発明をすることができたものであるといえない。
　
５　理由１について
（１）原査定に記載の理由
　ア　「意見書において、『中空チャネル２２』に関して、“意見書に記載の『SECTION A-A』と題した図面における符号「Ｃ」が中空チャネル２２であることが、当業者であれば理解できる”と主張している。しかしながら、本願の明細書には、中空チャネルに関し、“第１壁と第２壁を接続している”という程度の記載しかなく（例えば、［０００８］）、中空チャネルが意見書に記載の上記図面に示されるような構成であることを示す記載は何ら認められない。」
　
　イ　「一方、本願の図２に示される『開口部２０』は上下の“線”であるところ、意見書の上記図面では壁の内側面の上部のみで中空チャネルに繋がる形態となっており、内容的に整合しない（なお、意見書において、対応米国特許の図２のものは、“縦線の上側に点状の部分があり、これが開口部２０になります”と主張するが、当該米国特許の図２には、そのような“点状”の構成は記載されていない）。」
　
　ウ　「同様に、『中空チャネルの端部』に関して、“（意見書に記載の上記図面における）直立部が端部である”と主張しているが、その根拠となる記載は本願の明細書にない。また、“『チャネルの端部が第２面１８ｂを越えて延びている』という記載は誤りとまでは言えない”と主張するが、当該主張は、意見書に記載の上記図面の内容とも整合しない。また、請求項１及び５の『中空チャネルは、前記外部第１面から前記内部第１面まで延びており』なる構成も、意見書の上記図面の内容と整合しない。よって、本願発明の『中空チャネル２２』が、意見書に記載の上記図面のような構成であることを当業者が理解できるとは、到底いえない。なお、請求項１及び５の『前記内部第２面は、前記外部第２面で終端しており』なる構成に関しても、意見書の上記図面に照らしても構成が不明確である。」
　
　エ　「また、意見書において、『開口部２０』に関して、図１の表記が誤りであり、正確には対応米国特許の図２に描かれている、と主張している。しかしながら、当該対応米国特許の図２の記載は、本願の図２と同じものであるところ、拒絶理由で述べられているように、本願の図１と図２とでは、開口部を指す符号『２０』が異なる部位に付与されており、いずれが正しいものであるのか、その根拠となる記載は明細書には何ら記載されていない。」
　
（２）判断
　ア　上記（１）ア及びウについて
　本願の図面（図１〜図５）と、本願の出願当初の明細書（以下「当初明細書」という。）の記載内容（請求項の記載内容を含む）を総合的に勘案すると、当業者であれば、中空チャネル２２が壁の中の配管であると認識し得たことは明らかであるから、当初明細書に開示された配管が平成２４年５月２２日付け意見書において「SECTION A-A」と題した図面における符号「Ｃ」として示された配管構造と全く同一であるとは断定できないものの、中空チャネルが「第１壁と第２壁を接続」し、壁に設けられた開口部と接続しているのであるから、「SECTION A-A」と題した図面における符号「Ｃ」として示された配管構造と類似の形状を有していないとはいえない。
　
　イ　上記（１）イ及びエについて
　図１，２と図３〜５の両実施形態に共通していることは、被洗浄対象（眼用レンズ移送先端具の先端部）を水で洗浄するために、２つの対向する部材・部分が構成され、対向する壁に開口部（水噴射穴）が形成されることであり、図面からもこのことが理解できる。特に、図３〜図５には、符号「４６」で水の噴射状態が描かれているのに対して、図１，２には水の噴射状態が描かれておらず、また、開口部が壁１６、１８の垂直壁面にバーコード風（多数の縦線の集まり）に描かれてはいるものの、本願明細書の記載内容、例えば【０００６】の開口部に角度があること、【０００７】の開口部を離れる加圧された水が丸められた端部の上で先端具に接触させられること等の説明及び請求項の記載内容を総合的にみて、図１，２の水の噴射は図３〜５の水の噴射と同様な形態であると解するのが相当であり、開口部についても同様な構成であると解される。 
　
　したがって、発明の詳細な説明は、当業者が請求項１乃至８に係る発明を実施することができる程度に明確かつ十分に記載されたものであるといえる。
　
第５　むすび
　以上のとおり、本願については、原査定の拒絶理由を検討してもその理由によって拒絶すべきものとすることはできない。 
　また、他に本願を拒絶すべき理由を発見しない。 
　よって、結論のとおり審決する。